(57)【要約】【課題】従来の蛍光灯照明具をＬＥＤ照明具に替える際に、取り外したグローランプのソケットに切断した配線を格納し、残った配線同士をこの接続器具を介して接続することで配線工事を容易なものとできる公衆街路灯などの蛍光灯をＬＥＤ化するための接続器具を提供する。【解決手段】接続器具９ａは、蛍光灯照明具１のグローランプ２の口金部と同形状の口金部１８を備え、この口金部１８はネジ部１６及び先端部１７から構成される。接続器具９ａは、口金部１８でグローランプ２の空いたソケット３６に嵌め込まれる。これらネジ部１６及び先端部１７は、接続器具９ａ外にある他の電気要素との接点でもある。さらに、ネジ部１６にはカバー１５が着脱可能に取り付けられこの上部から接続用電線１４が延ばされる。接続器具９ａ内部にはネジ部接続線２０及びヒューズ１０が収容される。【選択図】図２
2012079579.tif 000002
【特許請求の範囲】
【請求項１】
蛍光ランプとグローランプを備えた蛍光灯照明具から，前記蛍光ランプに代えてエレクトロルミネッセンスダイオード（以下、ＬＥＤという）を配列した発光ランプ（以下、ＬＥＤランプという）を備え付けるに伴い，前記グローランプに代えてグローランプソケットに嵌合可能な口金部を有して備え付けられる接続器具であって、
内部には過電流保護素子が収容され、
前記口金部は、前記グローランプソケットの周囲面に設けられた第１の接点に導通可能に螺合するネジ部と、前記グローランプソケットの底部に設けられた第２の接点に導通可能な先端部と、からなり、
前記過電流保護素子の一端は、前記第１の接点又は前記第２の接点のうち、前記ＬＥＤランプに備えられた一対の電極端子のうちの一端に接続される接点に対応している前記ネジ部又は前記先端部のうちいずれか一方に接続され、
前記過電流保護素子の他端は、接続用電線を介して一対の電源端子のうちの一端に接続され、
前記電源端子の他端は、前記ＬＥＤランプに備えられた一対の電極端子のうちの他端に接続されることで動作可能であることを特徴とする蛍光灯照明具を蛍光灯型ＬＥＤ照明具化するための接続器具。
【請求項２】
前記過電流保護素子の他端は、前記ネジ部又は前記先端部のうちいずれか前記過電流保護素子の一端に接続されていない他方に接続されるとともに，前記第１の接点又は第２の接点のうちそれぞれ対応する他方の接点を介して、前記接続用電線に接続されることを特徴とする請求項１に記載の蛍光灯照明具を蛍光灯型ＬＥＤ照明具化するための接続器具。
【請求項３】
前記過電流保護素子の一端は、前記ネジ部又は前記先端部の両方に接続され、前記第１の接点又は前記第２の接点のうち、前記ＬＥＤランプに備えられた一対の電極端子のうちの一端に接続される接点に接続可能に構成されることを特徴とする請求項１に記載の蛍光灯照明具を蛍光灯型ＬＥＤ照明具化するための接続器具。
【請求項４】
前記過電流保護素子の一端は、前記ネジ部又は前記先端部のいずれか一方を選択可能な選択手段を介して両方に接続され、前記第１の接点又は前記第２の接点のうち、前記ＬＥＤランプに備えられた一対の電極端子のうちの一端に接続される接点に対応する前記ネジ部又は前記先端部のいずれか一方を選択可能に構成されることを特徴とする請求項３に記載の蛍光灯照明具を蛍光灯型ＬＥＤ照明具化するための接続器具。
【発明の詳細な説明】
【技術分野】
【０００１】
本発明は、蛍光灯照明具をＬＥＤ照明具に替える際に取り外したグローランプのソケットに切断した配線を格納し、残った配線同士を本発明を介して接続することで配線工事を容易なものとすることが可能な蛍光灯照明具を蛍光灯型ＬＥＤ照明具化するための接続器具に関する。
【背景技術】
【０００２】
まず、従来の蛍光灯照明具について図７を参照しながら説明する。
図７において、蛍光灯照明具１は、蛍光ランプ４、グローランプ２、安定器５及び交流電源３から構成され、蛍光ランプ４は両端に一対の蛍光ランプ端子６ａ，６ｂ及び７ａ，７ｂを有する。
また、グローランプ２は接点として口金部（図示せず）を備え、これはネジ部（図示せず）と先端部（図示せず）とから構成される。蛍光ランプ４両端の蛍光ランプ端子のうち片端（６ａ，６ｂ）は、グローランプ２のネジ部又は先端部と接続されるとともに、交流電源３の電極と接続される。また、蛍光ランプ両端の蛍光ランプ端子のうち他端（７ａ，７ｂ）は、残ったグローランプ２のネジ部又は先端部と接続されるとともに、安定器５と接続される。安定器５はさらに電源３の電極と接続される。
公衆街路灯などに用いられている従来の蛍光灯照明具１の蛍光ランプ４は、交換時に工事店への依頼が必要な場合がありその費用がかさんでしまうという課題があった。そこで、交換頻度の減少を目的として長寿命の蛍光灯型ＬＥＤ照明具が導入された。
しかし、蛍光ランプ４用の器具にＬＥＤランプを設置すれば蛍光ランプ４の点灯に必要であったグローランプ２や安定器５等が不要となる。このような不要物を切り離してＬＥＤランプを接続する工事は、細かな配線接続作業が必要である。けれども、この作業は高所で行わなければならない場合があり、また器具の種類等によっては十分に作業スペースを確保できないため、工事に困難を伴うという課題があった。
そこで不要物を残したままＬＥＤランプを接続して蛍光灯型ＬＥＤ照明具化すると、ＬＥＤランプの駆動周波数と安定器との周波数が異なるためＬＥＤランプが誤動作したり、蛍光灯照明具の点灯方式の違いによってＬＥＤランプが点灯しないといった課題があった。
後者のような課題を解決する目的で、グローランプや安定器等を残したままに蛍光灯型ＬＥＤ照明具を動作させる技術が開発されており、それに関して既にいくつかの発明が開示されている。
【０００３】
特許文献１には「ＬＥＤ照明灯及び該ＬＥＤ照明灯を用いた灯器具」という名称で、点灯方式が異なるいずれの蛍光灯器具に対しても支障なく対応できるＬＥＤ照明灯及び該ＬＥＤ照明灯を用いた灯器具に関する発明が開示されている。
以下、特許文献１に開示された発明を説明する。特許文献１に係るＬＥＤ照明灯及び該ＬＥＤ照明灯を用いた灯器具は、既存の蛍光灯器具のグロースタータ式、ラピッドスタート式又はインバータ式の何れに対しても使用可能とするインピーダンス素子を備えることを特徴としている。
詳細構造については、始動回路を有する安定器を備えた蛍光灯器具に使用されるＬＥＤ照明灯は、この始動回路の短絡を防止するインピーダンス素子を備えている。また、一対の端子を有する２つの口金を介して電源に接続されるＬＥＤを備えるＬＥＤ照明灯においては、各口金の一対の端子間にインピーダンス素子を接続している。さらに、フィラメントを加熱するための電気要素を備えた蛍光灯器具に使用され、電源及びこの電気要素にそれぞれ接続される一対の端子を有する２つの口金並びにこれら口金を介して電源に接続されるＬＥＤを備えるＬＥＤ照明灯においては、各口金の一対の端子間の接続を行い、かつこの接続によって前述の電気要素に流れる電源からの電流を制限するインピーダンス素子をそれぞれ備えている。
このような構成のＬＥＤ照明灯及び該ＬＥＤ照明灯を用いた灯器具は、グロースタータ式蛍光灯器具に使用された場合、電源からの大電流が前述のインピーダンス素子によって制限されてからグロースタータへの大電流の供給が防止される。また、インバータ式蛍光灯器具に使用された場合は、口金の２つのピン間の電流が検知でき、ＬＥＤへの電圧印加が正常に行われる。ラピッドスタート式に使用された場合では、電子安定器からの加熱のための電流がインピーダンス素子へ流れて消費されるだけでＬＥＤの点灯等に支障を起こさないという効果を有する。
【０００４】
そして、特許文献２には、「ＬＥＤ照明装置」という名称で、従来の磁気式又は電子式点灯方式の蛍光灯用照明システムを区分することなしに蛍光灯接続端子に直接連結して使用することができるＬＥＤ照明装置に関する発明が開示されている。
特許文献２に係るＬＥＤ照明装置は、並列または直列で連結された複数個のＬＥＤ、第１電源端子、第２電源端子、第１電源部、第２電源部、第１整流部、第２整流部、フィルター部及び駆動部を含むことを特徴とする。
このような構造のＬＥＤ照明装置においては、蛍光灯用照明システムを除去せずに蛍光灯用照明装置の蛍光灯接続端子に直接連結して使用することができ、使用者にとって非常に便利である。また、電子式照明装置だけでなくスターターによって回路が開きうる磁気式点灯方式の蛍光灯用照明システムでも、他の操作なしに動作して使用者が蛍光灯用照明システムの点火方式を区分して適用する必要がない。
【先行技術文献】
【特許文献】
【０００５】
【特許文献１】特開２００８−２７７１８８号公報
【特許文献２】特開２０１０−１５７４８０号公報
【発明の概要】
【発明が解決しようとする課題】
【０００６】
特許文献１に開示された発明においては、グロースタータ式、ラピッドスタート式又はインバータ式の何れに対しても使用可能とするインピーダンス素子を備え、これらすべての点火方式の蛍光灯器具に対して支障なく対応できる。
しかしながら、このようなインピーダンス素子を備えたＬＥＤ照明灯は、これ自体に複雑な回路を内蔵する必要があるという課題があると同時に、これを有しないものと比べ高価となる可能性が高いという課題があった。よって、配線工事の困難さを考慮しても、なお特許文献１に開示されたＬＥＤ照明灯を経済的に受け入れられない場合には、交換を諦めざるを得ない事態も生じる可能性があった。
【０００７】
次に、特許文献２に開示された発明においては、蛍光灯用照明システムを除去せずに蛍光灯用照明装置の蛍光灯接続端子に直接連結して使用することができるとともに、使用者が蛍光灯用照明システムの点火方式を区分して適用する必要がない。
しかし、上記のようなＬＥＤ照明装置は、特許文献１に開示された発明と同様な課題を有する。したがって、このような複雑な回路を有する必要がない場合には過剰な設備投資となりうる可能性がある。
【０００８】
本発明は、このような従来の事情に対処してなされたものであり、グローランプを取り外した後の空いたソケットに嵌め込むことで容易かつ安価にＬＥＤ照明具への交換を可能とする接続器具を提供することを目的とする。
【課題を解決するための手段】
【０００９】
上記目的を達成するため、請求項１記載の発明に係る蛍光灯照明具を蛍光灯型ＬＥＤ照明具化するための接続器具は、蛍光ランプとグローランプを備えた蛍光灯照明具から、この蛍光ランプに代えてエレクトロルミネッセンスダイオード（以下、ＬＥＤという）を配列した発光ランプ（以下、ＬＥＤランプという）を備え付けるに伴い、グローランプに代えてグローランプソケットに嵌合可能な口金部を有して備え付けられる接続器具であって、その内部には過電流保護素子が収容され、口金部はグローランプソケットの周囲面に設けられた第１の接点に導通可能に螺合するネジ部と、グローランプソケットの底部に設けられた第２の接点に導通可能な先端部と、からなり、過電流保護素子の一端は、第１の接点又は第２の接点のうち、ＬＥＤランプに備えられた一対の電極端子のうちの一端に接続される接点に対応しているネジ部又は先端部のうちいずれか一方に接続され、過電流保護素子の他端は、接続用電線を介して一対の電源端子のうちの一端に接続され、電源端子の他端は、ＬＥＤランプに備えられた一対の電極端子のうちの他端に接続されることで動作可能であることを特徴としている。
上記特徴を有する接続器具は、グローランプに替えて用いるので、グローランプ残存を起因とするＬＥＤランプの故障等が起こらない。
また、上記接続器具は、その内部に過電流保護素子が収容されていることから、新しく交換したＬＥＤ照明具を過電流から保護するとともに、交換工事後に誤って従来の蛍光ランプを取り付けた場合であってもこれを保護するように作用する。
さらに、過電流保護素子の一端は、ＬＥＤランプに備えられた一対の電極端子のうちの一端に接続される接点に対応しているネジ部又は先端部のうちいずれか一方に接続されることから、過電流保護素子とＬＥＤランプとの導通が確保される。
他には、過電流保護素子の他端が接続用電線を介して一対の電源端子のうちの一端に接続されることから、不要となった蛍光ランプ両端電極のうち片方の電極に接続されていた配線を接続用電線として再利用するように作用する。
【００１０】
次に、請求項２記載の発明に係る蛍光灯照明具を蛍光灯型ＬＥＤ照明具化するための接続器具は、請求項１に記載の接続器具において、過電流保護素子の他端が、ネジ部又は先端部のうちいずれか過電流保護素子の一端に接続されていない他方に接続されるとともに、第１の接点又は第２の接点のうちそれぞれ対応する他方の接点を介して、接続用電線に接続されることを特徴としている。
上記特徴の接続器具においては、過電流保護素子がグローランプソケットの第１の接点（ネジ部に対応する接点）及び第２の接点（先端部に対応する接点）を同時に使用してＬＥＤ照明具及び電源と接続される。また、過電流保護素子の一端は２種類の接点のうちいずれと接続されてもよく、他端は残った接点に接続されればよい。なお、「第１の接点又は第２の接点のうちそれぞれ対応する他方の接点を介して」とは、過電流保護素子の一端が、口金部のネジ部又は先端部を介して接続される第１の接点又は第２の接点ではない、他方の接点を介しての意味である。
この他、請求項１に記載の接続器具と同様の作用を有する。
【００１１】
さらに、請求項３記載の発明に係る蛍光灯照明具を蛍光灯型ＬＥＤ照明具化するための接続器具は、請求項１に記載の接続器具において、過電流保護素子の一端が、ネジ部及び先端部の両方に接続され、第１の接点又は第２の接点のうち、ＬＥＤランプに備えられた一対の電極端子のうちの一端に接続される接点に接続可能に構成されることを特徴としている。
上記特徴の接続器具においては、過電流保護素子の一端はネジ部又は先端部の両方に接続されているが、ネジ部又は先端部のいずれか一方はＬＥＤランプと接続されていないため、実際に過電流保護素子とＬＥＤランプとが導通状態にあるのは過電流保護素子の一端と接続されているネジ部又は先端部を介してである。しかし、ＬＥＤランプの電極端子がネジ部又は先端部のいずれと配線されているのか不明な場合にも、ネジ部又は先端部のどちらかを介して常に導通状態が保たれている。
この他、請求項１に記載の接続器具と同様の作用を有する。
【００１２】
次に、請求項４記載の発明に係る蛍光灯照明具を蛍光灯型ＬＥＤ照明具化するための接続器具は、請求項３に記載の接続器具において、過電流保護素子の一端が、ネジ部又は先端部のいずれか一方を選択可能な選択手段を介して両方に接続され、第１の接点又は第２の接点のうち、ＬＥＤランプに備えられた一対の電極端子のうちの一端に接続される接点に対応するネジ部又は先端部のいずれか一方を選択可能に構成されることを特徴としている。
上記構成の接続器具においては、過電流保護素子の一端がネジ部又は先端部のいずれか一方を選択可能な選択手段を介して両方に接続されていることから、請求項３記載の発明において過電流保護素子とＬＥＤランプとを導通状態とするために、接点としてネジ部又は先端部のいずれかを選択する。
この他、請求項３に記載の接続器具と同様の作用を有する。
【発明の効果】
【００１３】
本発明の請求項１記載の蛍光灯照明具を蛍光灯型ＬＥＤ照明具化するための接続器具においては、グローランプソケットに直接備え付けられるので、新たな部品等を備える必要がなくコンパクトに収められるとともに配線工事が簡便となる。また、グローランプ残存を起因とするＬＥＤランプの故障等が起こらないため、安全かつ安定してＬＥＤ照明具を使用することができる。
また、新しく交換したＬＥＤランプを過電流から保護することから、ＬＥＤランプを長寿命とすることができるので、交換回数が少なくなり経済性も良好である。加えて、交換工事後に誤って従来の蛍光灯を取り付けた場合であってもこれを保護することから、過度の発熱等を防止でき、これによる火災等の危険や損害を回避することができる。
他にも不要となった蛍光ランプ両端電極のうち片方の電極に接続されていた配線を接続用電線として再利用する場合では、既存の設備内で済ませることができるので交換時のコスト増加を抑制できる。
【００１４】
本発明の請求項２記載の蛍光灯照明具を蛍光灯型ＬＥＤ照明具化するための接続器具においては、過電流保護素子がグローランプソケットの第１の接点及び第２の接点を同時に使用してＬＥＤ照明具及び電源と接続されるので、元々グローランプと蛍光灯ランプ両端の電極端子とが接続されていた２本の配線を利用することができる。これによって、配線工事をより簡単に行うことができる。また、上記配線のうち新たにＬＥＤランプの電極と接続しない方の配線を、蛍光灯ランプ電極端子近傍の任意位置で断線したのち電源端子に接続し直すことができるため、その都度さまざまな大きさのＬＥＤ照明具に適した配線長さにすることができて照明具内での収納性が良い。
また、過電流保護素子の一端は第１又は第２の接点のうちいずれと接続されてもよいため、接続器具の内部における過電流保護素子と接点との接続は何ら制限を受けない。よって、接続器具の製造が容易になり工事の際も接点の違いの確認を行う必要がないのでより簡単な工事とすることができる。
この他、請求項１記載の接続器具と同様の有利な効果を有する。
【００１５】
本発明の請求項３記載の蛍光灯照明具を蛍光灯型ＬＥＤ照明具化するための接続器具においては、過電流保護素子は、この一端と接続されているネジ部又は先端部を介して常にＬＥＤランプとの導通状態が保たれていることから、接続器具を嵌め込む際に導通状態にあるネジ部又は先端部を確認しなくて済むため、取り付けが容易である。
この他、請求項１記載の接続器具と同様の有利な効果を有する。
【００１６】
本発明の請求項４記載の蛍光灯照明具を蛍光灯型ＬＥＤ照明具化するための接続器具においては、ネジ部又は先端部のいずれかを選択して過電流保護素子とＬＥＤランプとを導通状態とする。したがって、元々グローランプの口金部に接続されていた２本の配線のうちで例えば口金部のネジ部と蛍光灯との接続線を断線したときには、ネジ部側を選択すると過電流保護素子とＬＥＤランプとが導通状態にならないので、ＬＥＤランプは点灯しない。次に先端部側を選択するとＬＥＤランプは点灯する。したがって、ＬＥＤランプと接続された配線及び接続されてない配線を確実に把握でき、後者に漏電防止の処置を行うことができて安全性が高まる。
この他、請求項３記載の接続器具と同様の有利な効果を有する。
【図面の簡単な説明】
【００１７】
【図１】実施例１に係る蛍光灯照明具を蛍光灯型ＬＥＤ照明具化するための接続器具を用いた場合のＬＥＤ照明具の回路図である。
【図２】（ａ）は実施例１に係る接続器具の外観側面図であり、（ｂ）は（ａ）におけるＡ−Ａ線矢視断面図である。
【図３】実施例１に係る接続器具の中央断面図である。
【図４】（ａ）は実施例２に係る接続器具を用いた場合のＬＥＤ照明具の回路図であり、（ｂ）は実施例２に係る接続器具の中央断面図である。
【図５】（ａ）は実施例３に係る接続器具を用いた場合のＬＥＤ照明具の回路図であり、（ｂ）は実施例３に係る接続器具の中央断面図である。
【図６】（ａ）は実施例４に係る接続器具を用いた場合のＬＥＤ照明具の回路図であり、（ｂ）は実施例４に係る接続器具の中央断面図である。
【図７】従来の蛍光灯照明具の回路図である。
【発明を実施するための形態】
【実施例１】
【００１８】
本発明に係る実施例１の蛍光灯照明具を蛍光灯型ＬＥＤ照明具化するための接続器具について、図１乃至図３を用いて詳細に説明する。図１は実施例１に係る蛍光灯照明を蛍光灯型ＬＥＤ照明具化するための接続器具を用いた場合のＬＥＤ照明具の回路図である。図２（ａ）は実施例１に係る接続器具の外観側面図であり、（ｂ）は（ａ）におけるＡ−Ａ線矢視断面図である。また、図３は実施例１に係る接続器具の中央断面図である。なお、図２で示した構成要素については図３においても同一の符号を付して、その説明を省略する。
図１に示すように、ＬＥＤ照明具８は、接続器具９ａの他にＬＥＤランプ１３及び交流電源３から構成される。図７に示された蛍光灯照明具１において必要であったグローランプ２及び安定器５はＬＥＤランプ１３の点灯メカニズムが放電によるものでないため不要であり除去される。ＬＥＤランプ１３では、蛍光ランプ４と異なり一端に一対のＬＥＤランプ端子６ｃ，６ｄが備えられる。
ＬＥＤランプ端子６ｃは、接続器具９ａに内蔵される過電流保護素子であるヒューズ１０のヒューズ端子１２と、ソケット３６に設けられるネジ部接点１９を介して接続され、ＬＥＤランプ端子６ｄは交流電源３の電極端子（図示せず）と接続される。交流電源３のもう一方の電極端子（図示せず）は、ヒューズ１０他端のヒューズ端子１１に接続用電線１４を介して接続される。ヒューズ１０が溶断されていない場合に、上記の構成で閉回路を形成する。接続用電線１４は、図７において交流電源３と安定器５を接続していた接続線であり、この一部を切断し、交流電源３側の接続線をヒューズ１０のヒューズ端子１１と接続させるものである。また、上記閉回路を形成するには、従来のグローランプ２口金部の一方と蛍光ランプ端子７ａとの接続線も断線させる必要がある。
また、各端子間の接続は既存の配線をそのまま利用してもよいし、新たに電線を設けてもよい。そのまま利用する例として、前述のとおり、安定器５と交流電源３の電極端子との接続線の断端をヒューズ端子１１に接続するとよい。
【００１９】
次に、接続器具９ａ，９ｂについて説明する。
接続器具９ａは、グローランプ２を外したソケット３６に嵌め込まれる。その内部にはヒューズ１０を備え、ヒューズ１０の一端はヒューズ端子１２においてＬＥＤランプ端子６ｃと、もう一端はヒューズ端子１１において交流電源３の電極端子の一方と接続される。
接続器具９ａの詳細構造を図２及び図３に示す。接続器具９ａは、蛍光灯照明具１におけるグローランプ２の口金部と同形状の口金部１８を備え、この口金部１８は、ソケット部の周囲面に螺合可能なネジ部１６及びソケット部の底面に密着可能な先端部１７から構成される。これらネジ部１６及び先端部１７は接続器具９ａ外にある他の電気要素との接点でもある。
さらに、口金部１８の先端部１７とは反対側に隣接してカバー１５が着脱可能に取り付けられ、カバー１５上部から接続用電線１４が延ばされる。接続用電線１４はヒューズ１０と交流電源３とを接続するために用いられる。
そして、図２（ｂ）は図２（ａ）におけるＡ−Ａ線矢視断面図である。口金部１８内部及びカバー１５内部は空間を有し、それぞれネジ部接続線２０及びヒューズ１０が収容される。ネジ部接続線２０はネジ部１６に接続され、ソケット３６のネジ部接点１９において接続器具９ａ外の電気要素と接続される。ここで、口金部１８がネジ部接点１９の１点だけでＬＥＤランプ１３に接続されている理由は、図７の蛍光灯照明具１において蛍光ランプ端子７ａとグローランプ２を接続していた配線がグローランプ２を除去することで不要となり、この配線が元々グローランプ２の口金部のうち先端部に対応する先端部接点に接続されていたためである。
一方、ネジ部接続線２０の反対端は、ヒューズ１０の一端に接続される。ヒューズ１０の反対端は接続用電線１４と接続され、接続用電線１４はカバー１５上部を貫通して接続器具９ａ外へ延び交流電源３の電極端子の一方と接続される。この接続用電線１４は、様々な大きさのＬＥＤ照明具８に対応させるべくその都度適切な長さにするとよい。
次に、接続器具９ｂの詳細構造を図３に示す。接続器具９ｂでは、ネジ部接点１９に代えて先端部接点２２を介して接続器具９ｂ外の電気要素と接続される。このとき、ネジ部接続線２０の代わりに先端部接続線２３が用いられる。さらに、接続器具９ｂ外において、ＬＥＤランプ端子６ｃからの配線は先端部接点２２と接続される。この他のヒューズ１０や接続用電線１４の構造は接続器具９ａと同様である。
【００２０】
さらに、実施例１に係るＬＥＤ照明具８及び接続器具９ａ，９ｂの作用について説明する。
ＬＥＤ照明具８においては、ヒューズ１０を備える接続器具９とＬＥＤランプ１３とが直列に接続され、これらに交流電源３からの電流が流れ込む。したがって、ヒューズ１０が何らかの大電流により溶断した場合は、ＬＥＤランプ１３に流れ込む電流も遮断され保護される。
さらに、配線工事後に誤って従来の蛍光ランプ４を取り付けた場合では、蛍光ランプ４の片側のフィラメントにのみ交流電源３からの電圧が印加されることとなり過度の発熱や焼損及び短絡が発生する恐れがあるが、ヒューズ１０溶断によりフィラメントに電流が供給されなくなるため、発熱等が中断される。
また、グローランプ２及び安定器５が除去されるため、これらの存在を起因とするＬＥＤ照明具１３の故障が起こらない。加えて、これらによる余計な消費電力が発生しない。
次に、接続器具９ａは、蛍光灯照明具１におけるグローランプ２の口金部と同形状の口金部１８を備えていることから、蛍光灯照明具１のグローランプ２が嵌められていたソケット３６にねじ込まれる。よって、口金部１８は接続器具９ａをＬＥＤ照明具８内に保持すると同時に、口金部１８を構成するネジ部１６は前述のように接点でもあるので、接続器具９ａをソケット３６にねじ込むだけで他の電気要素との導通が行われる。
そして、接続器具９ａ内部のヒューズ１０は着脱可能なカバー１５内に収容されているため、新しいものに交換するときはカバー１５を取り外して行われる。
また、接続器具９ｂは、口金部１８を構成する先端部１７に先端部接点２２を備えており、接続器具９ａとの違いはこの点だけである。この他は同様であり、口金部１８をソケット部にねじ込むだけで接続器具９ｂ外の電気要素と接続される。
【００２１】
以下に、実施例１に係る接続器具９ａの効果について説明する。接続器具９ａは、内部のヒューズ１０の存在によりＬＥＤランプ１３又は蛍光ランプ４に流れ込む大電流が遮断されるため、これらを故障や破損等から保護できる。よって、ランプ交換の費用や手間を省くことができ、また長期間使用することが可能となる。またこれは、火災等の危険や損害を回避することにもつながるので、安全かつ安定してＬＥＤ照明具を使用することができる。
さらに、グローランプ２及び安定器５を除去したことによってこれらの存在を起因とするＬＥＤ照明具１３の故障等が起こらないことからも、同様の有利な効果を有する。この後、ヒューズ１０を交換するときには、カバー１５を取り外すだけで可能となるので容易である。
この他、グローランプ２等を除去しないままに使用すると、これらによる消費電力が発生するのでせっかくＬＥＤランプ１３へ交換した意味が若干低下するが、接続器具９ａの使用により節電効果の低下がない。
さらに、接続器具９ａをソケット３６にねじ込むだけでこれらの保持や他の電気要素との導通が行われるため配線工事を容易なものとできる。また、新たな部品等を備える必要がなくコンパクトに収められるとともに、ソケット３６を有効利用できて空きのソケット３６にホコリ等が吸着されることがない。したがって、外観上も見苦しくないものとなる。
また、接続器具９ａと９ｂの違いは、接点がネジ部接点１９であるか先端部接点２２であるかのみが異なる点であり、上記の有利な効果は同一である。
接続器具９ａ及び９ｂは、蛍光灯照明具１からＬＥＤ照明具８へ最初に交換する時点において、元々ソケット３６と接続された２本の配線のうちネジ部または先端部と接続されたもののどちらが断線されずに残っているかを把握している場合には、接続器具９ａ又は９ｂとＬＥＤランプ１３とを確実に導通可能とすることができて特に有効である。
【実施例２】
【００２２】
本発明に係る実施例２の蛍光灯照明具を蛍光灯型ＬＥＤ照明具化するための接続器具について、図４を用いて詳細に説明する。図４（ａ）は実施例２に係る接続器具を用いた場合のＬＥＤ照明具の回路図であり、（ｂ）は実施例２に係る接続器具の中央断面図である。なお、図１乃至図３で示した構成要素については同一の符号を付して、その説明を省略する。
図４（ａ）に示すように、ＬＥＤ照明具２４では、接続器具９ａ又は９ｂに代えて接続器具２５が配置される。他のＬＥＤランプ１３及び交流電源３から構成される点は実施例１のＬＥＤ照明具８と同様である。
ＬＥＤランプ端子６ｃは接続器具２５に内蔵されるヒューズ１０のヒューズ端子２７と先端部接点３０を介して接続され、ＬＥＤランプ端子６ｄは交流電源３の電極端子と接続される。交流電源３のもう一方の電極端子は、ヒューズ１０他端のヒューズ端子２６にネジ部接点２８を介して接続される。ヒューズ１０が溶断されていない場合は、上記の構成で閉回路を形成する。
ただし、上記閉回路を形成するには、実施例１のＬＥＤ照明具８と同様に、従来のグローランプ２の一端と蛍光ランプ端子７ａとの接続線及び安定器５と交流電源３の電極端子との接続線を断線する必要がある。
その後既存の配線をそのまま利用する例として、グローランプ２のソケットの一端と蛍光ランプ端子７ａとの接続線の断端を交流電源３の電極端子の一端あるいはその近傍の接続線に接続したり、逆に安定器５と交流電源３の電極端子との接続線の断端をグローランプ２のソケットの一端あるいはその近傍の接続線に接続するとよい。
【００２３】
次に、接続器具２５について説明する。接続器具２５は、その内部にヒューズ１０を備え、ヒューズ１０の一端はヒューズ端子２７においてＬＥＤランプ端子６ｃと先端部接続線３１を介して接続され、もう一端はヒューズ端子２６において交流電源３の電極端子の一方と接続用電線２９を介して接続される。
接続器具２５の詳細構造を図４（ｂ）に示す。接続器具２５は、実施例１に係る接続器具９ａ及び９ｂの口金部と同形状の口金部１８を備え、ネジ部１６及び先端部１７は接続器具２５外にある他の電気要素との接点である。また、接続器具９ａ及び９ｂと同様にカバー１５が着脱可能に取り付けられている。
そして、口金部１８内部及びカバー１５内部には先端部接続線３１、ヒューズ１０及び接続用電線２９が収容される。接続器具９ａ及び９ｂとの違いは、接続器具２５内部においてヒューズ１０がネジ部１６のみならず先端部１７にも接続されており、これらを介してソケット３６のネジ部接点２８のみならず先端部接点３０と接続されている点が異なっている。すなわち、口金部１８は先端部接点３０及びネジ部接点２８の２点をもって同時に接続器具２５外の電気要素と接続される。
先端部接点３０はＬＥＤランプ１３のＬＥＤランプ端子６ｃと接続され、先端部接続線３１を介してヒューズ端子２７と接続される。ヒューズ１０の反対端であるヒューズ端子２６は接続用電線２９と接続され、接続用電線２９はカバー１５内部に収容されたままネジ部接点２８と接続し、ネジ部接点２８は交流電源３の電極端子の一端と接続される。
また、上記と逆に先端部接点３０が先端部接続線３１を介してヒューズ端子２６と、かつヒューズ端子２７が接続用電線２９を介してネジ部接点２８と接続されてもよい。
【００２４】
さらに、実施例２に係る接続器具２５の作用について説明する。
接続器具２５は、先端部接点３０及びネジ部接点２８の２点をもって、それぞれＬＥＤランプ端子６ｃ及び交流電源３の電極端子の一方と同時に接続されることから、元々存在していたグローランプ２の一端と蛍光ランプ端子６ａとの接続線及びグローランプ２の他端と蛍光ランプ端子７ａとの接続線をソケット３６近傍で断線する必要がなく、交流電源３の電極端子の一方とＬＥＤランプ端子６ｃを導通させる。
この他、実施例１に係る接続器具９ａ及び９ｂと同様の作用を有する。
【００２５】
次に、実施例２に係る接続器具２５の効果について説明する。接続器具２５は、ソケット３６において、元々存在していた２本の接続線の両方をソケット３６近傍で断線せずにそのまま残していることから、細かな作業が省け配線工事が簡略化される。また、蛍光ランプ端子７ａ近傍の任意位置で断線したのち断端を交流電源３の電源端子の一端あるいはその周辺の接続線に接続することができるため、さまざまな大きさのＬＥＤ照明具に適するような配線長さにすることができて照明具内での収納性が良い。
また、ヒューズ１０の一端は第１又は第２の接点（ネジ部接点２８又は先端部接点３０）のうちいずれと接続されてもよく、他端は残った接点であればよいことから、接続器具２５の内部におけるヒューズ１０と接点との接続は何ら制限を受けない。よって、接続器具２５の製造が容易になり工事の際も接点の違いの確認を行う必要がないのでより簡単な工事とすることができる。
この他、実施例１に係る接続器具９ａ及び９ｂと同様の有利な効果を有する。
【実施例３】
【００２６】
本発明に係る実施例３の蛍光灯照明具を蛍光灯型ＬＥＤ照明具化するための接続器具について、図５を用いて詳細に説明する。図５（ａ）は実施例３に係る接続器具を用いた場合のＬＥＤ照明具の回路図であり、（ｂ）は実施例３に係る接続器具の中央断面図である。なお、図１乃至図４で示した構成要素については同一の符号を付して、その説明を省略する。
図５（ａ）に示すように、ＬＥＤ照明具３２では、接続器具２１が配置される。他にＬＥＤランプ１３及び交流電源３から構成される点は実施例１及び実施例２のＬＥＤ照明具８，２４と同様である。
なお、図５（ａ）ではＬＥＤランプ端子６ｃからの配線はソケット３６のネジ部接点１９を介してヒューズ端子１２と接続されているが、これとは別にソケット３６の先端部接点２２を介してヒューズ端子１２と接続されてもよい。なぜなら、後述のように接続器具２１はヒューズ端子１２が口金部１８のネジ部１６及び先端部１７を介して、それぞれネジ部接点１９及び先端部接点２２と接続されていることで、いずれの場合にも対応しうるからである。
この他の配線等については、実施例１のＬＥＤ照明具８と同様である。
【００２７】
次に、接続器具２１について説明する。接続器具２１は、実施例１の接続器具９ａ及び９ｂと同様にその内部にヒューズ１０を備え、ヒューズ１０の一端はヒューズ端子１２においてＬＥＤランプ端子６ｃと、もう一端はヒューズ端子１１において交流電源３の電極端子の一方と接続される。
接続器具２１の詳細構造を図５（ｂ）に示す。図５（ｂ）は、実施例３に係る接続器具２１の中央断面図である。
口金部１８内部及びカバー１５内部には、それぞれネジ部接続線２０、先端部接続線２３及びヒューズ１０が収容される。接続器具９ａ，９ｂとの違いは、ヒューズ端子１２がネジ部接続線２０及び先端部接続線２３の両方の一端に同時に接続され、これらの反対端がそれぞれ口金部１８のネジ部１６及び先端部１７と接続されている点である。ただし、図５（ａ）に示されている場合では、ネジ部接点１９とＬＥＤランプ１３とが接続されているので、ヒューズ１０はネジ部接続線２０、ネジ部１６及びソケット３６のネジ部接点１９を介してＬＥＤランプ端子６ｃと導通状態にある。
一方、先端部接点２２とＬＥＤランプ１３とが接続されている場合は、ヒューズ１０は先端部接続線２３、先端部１７及びソケット３６の先端部接点２２を介してＬＥＤランプ端子６ｃと導通状態にある。
この他の構造については、実施例１に係る接続器具９ａ及び９ｂと同様である。
【００２８】
次に、接続器具２１の作用について説明する。接続器具２１は、ヒューズ１０のヒューズ端子１２がソケット３６のネジ部接点１９及び先端部接点２２の双方と接続されていることから、ＬＥＤランプ１３からの配線がネジ部接点１９又は先端部接点２２のいずれと接続されていてもヒューズ端子１２はＬＥＤランプ１３と導通状態となる。
この他、実施例１に係る接続器具９ａ及び９ｂと同様の作用を有する。
【００２９】
さらに、接続器具２１の効果について説明する。接続器具２１は、ＬＥＤランプ１３からの配線がネジ部接点１９又は先端部接点２２のいずれと接続されていてもヒューズ端子１２はＬＥＤランプ１３と導通状態となるため、元々の蛍光ランプ端子６ａからの配線がグローランプ２口金部のネジ部又は先端部のいずれに接続されていたかを把握できない場合であっても、接続器具２１を使用することでＬＥＤランプ１３を点灯させることができる。したがって、この点について確認する必要がないので配線工事に手間取ることがなく便利である。
この他、実施例１に係る接続器具９ａ及び９ｂと同様の有利な効果を有する。
【実施例４】
【００３０】
本発明に係る実施例４の蛍光灯照明具を蛍光灯型ＬＥＤ照明具化するための接続器具について、図６を用いて詳細に説明する。図６（ａ）は実施例４に係る接続器具を用いた場合のＬＥＤ照明具の回路図であり、（ｂ）は実施例４に係る接続器具の中央断面図である。なお、図１乃至図５で示した構成要素については同一の符号を付して、その説明を省略する。
実施例４に係るＬＥＤ照明具３３では、実施例３の接続器具２１と同様に、ヒューズ端子１２がネジ部接続線２０及び先端部接続線２３を介してそれぞれ口金部１８のネジ部１６及び先端部１７に接続され、さらにソケット３６のネジ部接点１９及び先端部接点２２に接続された接続器具３４が用いられる。そして、ＬＥＤランプ端子６ｃからの配線は、ネジ部接点１９に接続される。この他、ＬＥＤランプ１３及び交流電源３から構成される点は実施例１乃至実施例３のＬＥＤ照明具８，２４及び３２と同様である。なお、他の実施形態としてＬＥＤランプ端子６ｃからの配線が先端部接点２２に接続される場合も考えられる。
次に、図６（ｂ）に示すように本実施例に係る接続器具３４は、ヒューズ端子１２と口金部１８との間に切換スイッチ３５が加わっている。この切換スイッチ３５は、ヒューズ端子１２と接続される口金部１８の接点のうちネジ部１６又は先端部１７のいずれかを選択可能とするものである。
この他の配線等については、実施例３のＬＥＤ照明具３２と同様である。
【００３１】
次に、実施例４に係る接続器具３４の作用について説明する。本実施例に係る接続器具３４は、ヒューズ端子１２が口金部１８のネジ部１６及び先端部１７の両方に接続され、これらのいずれかを選択可能な切換スイッチ３５がヒューズ端子１２と口金部１８のネジ部１６及び先端部１７との間に加わっている。よって、元々の蛍光ランプ端子６ａからの配線がグローランプ２のネジ部に接続されていた場合に切換スイッチ３５で先端部１７（先端部接点２２）側を選択すると、ヒューズ１０とＬＥＤランプ１３とが導通状態にならないのでＬＥＤランプ１３は点灯しない。そこで、反対のネジ部１６（ネジ部接点１９）側を選択するとＬＥＤランプ１３は点灯する。
これに対し、グローランプ２の先端部と蛍光ランプ４とが接続されていたときには、切換スイッチ３５で先端部１７（先端部接点２２）側を選択するとヒューズ１０とＬＥＤランプ１３とが導通状態となってＬＥＤランプ１３が点灯する。したがって、ＬＥＤランプ１３が点灯した時に選択されている方が、ＬＥＤランプ端子６ｃと接続されている接点であることを示し、もう一方は蛍光ランプ端子７ａと接続されていたが断線された配線の接点である。
この他、実施例３に係る接続器具２１と同様の作用を有する。
【００３２】
次に、実施例４に係る接続器具３４の効果について説明する。上記のように、切換スイッチ３５の選択をすることで、ＬＥＤランプ端子６ｃと接続されている接点がネジ部接点１９または先端部接点２２のどちらなのかが示されるため、この接点があらかじめ不明な場合であっても、確実にＬＥＤランプ１３と接続された接点及び接続されてない接点を把握できる。したがって、後者の接点を介して蛍光ランプ端子７ａと接続されていた配線に漏電防止の処置を行うことができて安全性が高まる。
この他、実施例３に係る接続器具２１と同様の有利な効果を有する。
【産業上の利用可能性】
【００３３】
請求項１乃至請求項４に記載された発明は、従来の蛍光灯照明具をＬＥＤ照明具に交換する際に高所での配線工事を容易なものとできるため、公衆街路灯などの蛍光灯をＬＥＤ化するための接続器具に適用可能である。さらに、この接続器具は過電流保護素子を内蔵し、交換後の使用安全性をも高めることができるため、公衆街路灯のみならず一般企業や家庭用の蛍光灯をＬＥＤ化するための接続器具にも適用可能である。
【符号の説明】
【００３４】
１…蛍光灯照明具  ２…グローランプ  ３…交流電源  ４…蛍光ランプ  ５…安定器  ６ａ，６ｂ…蛍光ランプ端子  ６ｃ，６ｄ…ＬＥＤランプ端子  ７ａ，７ｂ…蛍光ランプ端子  ８，２４，３２，３３…ＬＥＤ照明具  ９ａ，９ｂ，２１，２５，３４…接続器具  １０…ヒューズ  １１，１２，２６，２７…ヒューズ端子  １３…ＬＥＤランプ  １４，２９…接続用電線  １５…カバー  １６…ネジ部  １７…先端部  １８…口金部  １９，２８…ネジ部接点  ２０…ネジ部接続線  ２２，３０…先端部接点  ２３，３１…先端部接続線  ３５…切換スイッチ  ３６…ソケット
【図１】
2012079579.tif 000003
【図２】
2012079579.tif 000004
【図３】
2012079579.tif 000005
【図４】
2012079579.tif 000006
【図５】
2012079579.tif 000007
【図６】
2012079579.tif 000008
【図７】
2012079579.tif 000009